(57)【要約】      （修正有）【課題】新設の収納ケースを既設の収納ケースの横に収納ケースの前後から容易に連結することができる、耐震性に優れた収納ケースを提供する。【解決手段】筐体２の側面板の後端には隣接する別の筐体と連結するための後端連結構造が設けられ、後端連結構造は、連結具４ａと、連結具を筐体の側面板の後端部分の取り付け孔４ｂと、取り付け孔に取り付けられて筐体の側面板から外側に突出した連結具と係合する係合凹部からなり、連結具は互いに平行な２枚の端板部４ａ１とこれらの端板部間に介在する中央部４ａ２からなる断面コ字状の部材であり、取り付け孔は、連結具の端板部の一方を側面板より内側に導入するための導入部４ｂ１と、連続して設けられ連結具の中央部を支持するためのスリット部からなり、係合凹部は取り付け孔が設けられた側面板と対向する側面板における、スリット部の位置に相当する位置に設けられることを特徴とする収納ケース１。【選択図】図１
2015145263.tif 000002
【特許請求の範囲】
【請求項１】
前方から収納物を取り出すように構成された直方体型の筐体２を有する収納ケース１であって、
筐体２の側面板２ａの前端及び後端には隣接する別の筐体２と連結するための前端連結構造５及び後端連結構造４が設けられ、
後端連結構造４は、連結具４ａと、この連結具４ａを筐体２の側面板２ａの後端部分に取り付けるための取り付け孔４ｂと、前記取り付け孔４ｂに取り付けられて筐体２の側面板２ａから外側に突出した連結具４ａと係合する係合凹部４ｃからなり、
連結具４ａは互いに平行な２枚の端板部４ａ１とこれらの端板部４ａ１の間に介在する中央部４ａ２からなる断面コ字状の部材であり、
取り付け孔４ｂは、連結具４ａの端板部４ａ１の一方を側面板２ａより内側に導入するための導入部４ｂ１と、前記導入部４ｂ１と連続して設けられ連結具４ａの中央部４ａ２を支持するためのスリット部４ｂ２からなり、
係合凹部４ｃは取り付け孔４ｂが設けられた側面板２ａと対向する側面板２ａにおける、前記スリット部４ｂ２の位置に相当する位置に設けられることを特徴とする収納ケース。
【請求項２】
スリット部４ｂ２の近傍には、連結具４ａの端板部４ａ１の位置を規制する位置決め突起４ｄが設けられていることを特徴とする請求項１に記載の収納ケース。
【請求項３】
取り付け孔４ｂが筐体２の両側面板２ａに設けられており、一方の取り付け孔４ｂはスリット部４ｂ２が導入部４ｂ１の下方に設けられており、他方の取り付け孔４ｂはスリット部４ｂ２が導入部４ｂ１の上方に設けられており、前記他方の取り付け孔４ｂにおいては導入部４ｂ１とスリット部４ｂ２の間には連結具４ａがスリット部４ｂ２から導入部４ｂ１に落ちるのを防ぐための狭窄部４ｂ３が設けられていることを特徴とする請求項１又は請求項２に記載の収納ケース。
【請求項４】
前端連結構造５が側面板２ａの前端に設けられたＬ字状の切れ込み５ａと、２枚の板状部材５ｂ１とこれらを繋ぐ棒状部材５ｂ２からなる前止具５ｂからなることを特徴とする請求項１乃至請求項３に記載の収納ケース。
【発明の詳細な説明】
【技術分野】
【０００１】
本発明は、逐次増加する書類や試料等を収納するための収納ケースに係り、特に、新たに増設する収納ケースと既設の収納ケースを当該収納ケースの前後から容易に連結することができる耐震性に優れた収納ケースに関する。
【背景技術】
【０００２】
一般に、継続的に事業を行う場合、業務のたびに書類等が蓄積するので、その蓄積する書類等の保管が問題とされることが多い。特に病院などでは、カルテや病理検体など、長期保存の必要がある書類や試料が多いため、保管に必要なスペースは増大する一方である。
このような状況に対応するため、新しい資料を保管するために入手した新しい収納ケースを既設の収納ケースに連結できる収納ケースが市販されている。この収納ケースは前後方向に延びるアリツギ（蟻継）状の溝と凸条が上下左右の四面に設けられ、この溝と凸状に沿って新設の収納ケースを既設の収納ケースのいずれかの面でスライドさせることにより、新設の収納ケースを既設の収納ケースに連結することができる。
【０００３】
しかしながら、アリツギ状の溝と凸条を係合させたり、あるいは外したりするのは困難なので、別の方式により連結できる収納ケースも模索されている。
例えば、特許文献１では、開口部及びこれに対向する面に枠体が設けられた収納ボックスを縦方向又は横方向に並べ、隣接する収納ボックスの枠体を跨るように連結具を装着する連結構造が示されている。
また、特許文献２では、矩形ボックスの開口周面に切欠き凹部を設け、その切欠き凹部の底部に孔を二つ穿設して、底部の孔に挿入される脚部を有するブロック体で切欠き凹部を閉塞するように構成された収納ボックスが開示されている。そして、収納ボックスを連結する方法として、切欠き凹部同士が近接するように収納ボックスを配置し、ブロック体を一旦外してから、当該ブロックの脚部を近接する切欠き凹部の孔に跨って挿入する方法が示されている。
さらに、特許文献３では、アリツギ状の溝部が穿設された容器が開示され、この容器を複数隣接させることにより前記凹部を対合させて連結係合部を形成させ、この連結係合部にアリツギ状の凸部を背中合わせに二つ接合した形状の連結部材を挿入することにより、容器を連結する方法が示されている。
【先行技術文献】
【特許文献】
【０００４】
【特許文献１】特開２０００−１６８７８１号公報
【特許文献２】特開２００２−８７４３７号公報
【特許文献３】実用新案登録第３０９２６１４号公報
【発明の概要】
【発明が解決しようとする課題】
【０００５】
しかしながら、特許文献１に記載の連結構造では、縦方向又は横方向のいずれかを連結することは可能であるが、一旦縦方向に連結した収納ボックスの横方向に新たな収納ボックスを連結しようとしても、縦方向に連結するための連結具が邪魔になるので、横方向に連結するための連結具を装着することができない。
【０００６】
特許文献２に記載の収納ボックスを用いれば、縦横の両方向に連結するための連結具が互いに干渉することがないが、特許文献２における収納ボックスの後端を固定するには、連結具を後方から挿入する必要がある。空箱を連結する場合にはそれも可能であるが、例えば中に大量の書類が入っている既設の収納ボックスが壁際に設置されているような場合は、壁が邪魔になり、後方から連結具を挿入することができないので、新設の収納ボックスと十分な強度で連結することができない。
【０００７】
特許文献３に記載の容器システムの場合、十分な連結強度を得るためには、連結部材をアリツギ状の溝部を容器の前後方向の略全域に設けるとともに、この溝部と同じ長さの連結部材が必要になる。小さな容器の場合はこのような連結構造でも問題はないが、書類入れ等の比較的大きな容器の場合は連結部材も大きなものが必要となるので、この連結部材の管理保管が容易ではない。
【０００８】
本発明はかかる実情に鑑み、上記従来技術の問題点を解消し、新たに増設する収納ケースと既設の収納ケースを当該収納ケースの前後から容易に連結することができる収納ケースを提供することを目的とする。
【課題を解決するための手段】
【０００９】
上記目的を達成するために、本発明の特徴は、前方から収納物を取り出すように構成された直方体型の筐体２を有する収納ケース１であって、筐体２の側面板２ａの前端及び後端には隣接する別の筐体２と連結するための前端連結構造５及び後端連結構造４が設けられ、後端連結構造４は、連結具４ａと、この連結具４ａを筐体２の側面板２ａの後端部分に取り付けるための取り付け孔４ｂと、前記取り付け孔４ｂに取り付けられて筐体２の側面板２ａから外側に突出した連結具４ａと係合する係合凹部４ｃからなり、連結具４ａは互いに平行な２枚の端板部４ａ１とこれらの端板部４ａ１の間に介在する中央部４ａ２からなる断面コ字状の部材であり、取り付け孔４ｂは、連結具４ａの端板部４ａ１の一方を側面板２ａより内側に導入するための導入部４ｂ１と、前記導入部４ｂ１と連続して設けられ連結具４ａの中央部４ａ２を支持するためのスリット部４ｂ２からなり、係合凹部４ｃは取り付け孔４ｂが設けられた側面板２ａと対向する側面板２ａにおける、前記スリット部４ｂ２の位置に相当する位置に設けられる収納ケースを内容とする。
【００１０】
本発明の別の特徴は、スリット部４ｂ２の近傍には、連結具４ａの端板部４ａ１の位置を規制する位置決め突起４ｄが設けられている上記の収納ケースを内容とする。
【００１１】
本発明の更に別の特徴は、取り付け孔４ｂが筐体２の両側面板２ａに設けられており、一方の取り付け孔４ｂはスリット部４ｂ２が導入部４ｂ１の下方に設けられており、他方の取り付け孔４ｂはスリット部４ｂ２が導入部４ｂ１の上方に設けられており、前記他方の取り付け孔４ｂにおいては導入部４ｂ１とスリット部４ｂ２の間には連結具４ａがスリット部４ｂ２から導入部４ｂ１に落ちるのを防ぐための狭窄部４ｂ３が設けられている上記の収納ケースを内容とする。
【００１２】
本発明の更に別の特徴は、前端連結構造５が側面板２ａの前端に設けられたＬ字状の切れ込み５ａと、２枚の板状部材５ｂ１とこれらを繋ぐ棒状部材５ｂ２からなる前止具５ｂからなる上記の収納ケースを内容とする。
【発明の効果】
【００１３】
本発明による収納ケースは、連結具と、取り付け孔と、係合凹部からなる後端連結構造を備え、取り付け孔に取り付けられた連結具に、隣接する収納ケースの係合凹部を係合させることにより収納ケースの後端側を連結するように構成されているため、耐震性に優れている。また、収納ケースの後端側から連結具を挿入する必要がなく、従って、壁際に設置された既設の収納ケースに新設の収納ケースを接続する場合でも、壁が邪魔にならず、容易に接続できる。
【００１４】
また、取り付け孔のスリット部の近傍に位置決め突起を設けることにより、取り付け孔に取り付けた連結具が筐体の内側に潜り込むのを防ぐことができ、これにより、後端側の連結を好適に行うことができる。
【００１５】
取り付け孔を筐体の両側面板に設けることにより、既設の収納ケースの左右いずれにも新設の収納ケースを連結することができる。
この場合、一方の取り付け部ではスリット部を導入部の下側に設け、他方の取り付け部ではスリット部を導入部の上側に設ければ、新設の収納ケースを右側に連結するための後端連結構造と、左側に連結するための後端連結構造が干渉しないため、新設の収納ケースを左右両方に好適に連結することができる。
スリット部を導入部の上側に設ける際、スリット部と導入部の間に狭窄部を設ければ、取り付け孔に取り付けた連結具が導入部にずり落ちることがなく、スリット部に留まるので、後端側の連結を好適に行うことができる。
【００１６】
前端連結構造を、Ｌ字状の切れ込みと、２枚の板状部材とこれらを繋ぐ棒状部材からなる前止具から形成すれば、連結しやすく、不意に外れにくく、筐体内に引き出しを設ける場合でも前止具が引き出しを引き出す邪魔にならない。
【図面の簡単な説明】
【００１７】
【図１】図１は本発明による既設の収納ケースの横に新設の収納ケースを連結する態様を示す概略説明図、及びその要部拡大図である。
【図２】図２は図１の収納ケースの左側面図、及びその要部拡大図である。
【図３】図３は図１の収納ケースの右側面図、及びその要部拡大図である。
【図４】図４（ａ）は図２のＡ−Ａ断面図であり、（ｂ）は図２の収納ケースを縦に連結した状態を示す概略断面説明図である。
【図５】図５は図２のＢ−Ｂ断面図である。
【図６】図６は取り付け孔に連結具を取り付ける方法を示す説明図である。
【図７】図７は本発明における後端連結構造の例を示す概略図である。
【図８】図８は本発明の収納ケースの別例を示す概略斜視図である。
【図９】図９（ａ）は図８の収納ケースの左側面図であり、（ｂ）は右側面図である。
【図１０】図１０は図９（ｂ）の要部拡大図である。
【図１１】図１１は、収納ケースの両側に後端連結構造を設ける場合の別例を示す要部拡大図である。
【図１２】図１２は、収納ケースの両側に後端連結構造を設ける場合の、更なる別例を示す要部拡大図である。
【図１３】図１３（ａ）は本発明で用いる前止具の一例を示す斜視図であり、（ｂ）はその側面図であり、（ｃ）はその正面図である。
【図１４】図１４は図１３の前止具で左右に隣接する収納ケースの前端を連結する方法を示す説明図である。
【図１５】図１５（ａ）は本発明で用いる前止具の別例を示す斜視図であり、（ｂ）はその側面図であり、（ｃ）はその正面図である。
【図１６】図１６は図１５に示したような前止具を用いて、上下及び左右に隣接する収納ケースの前端を連結する方法の一例を示す説明図である。
【図１７】図１７は図１５に示したような前止具を用いて、上下及び左右に隣接する収納ケースの前端を連結する方法の別例を示す説明図である。
【発明を実施するための形態】
【００１８】
本発明の収納ケース１は、前方から収納物を取り出すように構成された直方体型の筐体２を有し、
図１〜図４に示す如く、筐体２の上端と下端の少なくともいずれか一方に縦方向に配置された別の筐体２と連結するための縦方向連結構造３が設けられ、筐体２の側面板２ａの前端及び後端には隣接する別の筐体２と連結するための前端連結構造５及び後端連結構造４が設けられ、後端連結構造４は、連結具４ａと、この連結具４ａを筐体２の側面板２ａの後端部分に取り付けるための取り付け孔４ｂと、前記取り付け孔４ｂに取り付けられて筐体２の側面板２ａから外側に突出した連結具４ａと係合する係合凹部４ｃからなり、
図５〜図７に示す如く、連結具４ａは互いに平行な２枚の端板部４ａ１とこれらの端板部４ａ１の間に介在する中央部４ａ２からなる断面コ字状の部材であり、取り付け孔４ｂは、連結具４ａの端板部４ａ１の一方を側面板より内側に導入するための導入部４ｂ１と、前記導入部４ｂ１と連続して設けられ連結具４ａの中央部４ａ２を支持するためのスリット部４ｂ２からなり、係合凹部４ｃは取り付け孔４ｂが設けられた側面板と対向する側面板における、前記スリット部４ｂ２の位置に相当する位置に設けられることを特徴とする。
【００１９】
本発明の収納ケース１は、前方から収納物を取り出すように構成された直方体型の筐体２を有する収納ケースに関するものである。一般的には筐体２の内部に引き出し体６を配置し、この引き出し体６を筐体２の前方から引き出せるように構成されているものが使用されており、本発明もこのような一般的な例に基づいて説明されているが、収納物を取り出すための構造については、筐体の前方から収納物を出し入れできるように構成されていれば、その他は特に限定されない。
【００２０】
本発明は、通常の場合、図１に示すように、複数の筐体２を縦方向及び横方向の２方向に連結可能であるように構成される。縦方向に連結する手段については、筐体２の上端と下端の少なくともいずれか一方に縦方向に配置された別の筐体２と連結するための縦方向連結構造３を有するのが好ましいが、多段の引き出しとして構成されてもよい。図４（ａ）に示した例では、筐体２の上端に爪部３ａが設けられるとともに、筐体２の下端には開口３ｂが穿設され、図４（ｂ）に示すように爪部３ａと開口３ｂを係合させることにより縦方向に連結され、最上段の筐体２には天板７が被着される縦方向連結構造３が例示されているが、これに限定されず、例えば特許文献１、２に示されるような連結構造であってもよい。
【００２１】
本発明は、後端連結構造４が、図５〜図７に示されるように、連結具４ａと、取り付け孔４ｂと、係合凹部４ｃからなることを特徴とする。
本発明における連結具４ａは、図６に示されるように、互いに平行な２枚の端板部４ａ１と、これらの端板部４ａ１の間に介在する中央部４ａ２からなる、断面コ字状の部材である。
取り付け孔４ｂは、図６（更に詳しくは図２の要部拡大図）に示されるように、導入部４ｂ１とスリット部４ｂ２からなり、筐体２の側面板に穿設された孔である。
係合凹部４ｃは、図７（更に詳しくは図３の要部拡大図）に示されるように、筐体２の側面板の後端に切設された凹部であり、前記取り付け孔４ｂのスリット部４ｂ２の位置に相当する位置に設けられている。
【００２２】
取り付け孔４ｂは、連結具４ａを筐体２の側面後端部に取り付けるための孔である。連結具４ａを取り付け孔４ｂに取り付けるには、まず、図６に実線矢印で示されるように、連結具４ａの端板部４ａ１の一方だけを導入部４ｂ１から筐体２の内部まで導入し、次いで、図６に破線矢印で示されるように、連結具４ａの中央部４ａ２をスリット部４ｂ２内に導入するように連結具４ａをスライドさせる。
【００２３】
取り付け孔４ｂの導入部４ｂ１の形状、及び、連結具４ａの端板部４ａ１の形状は、端板部４ａ１を導入部４ｂ１に挿通可能にする必要があるが、他は特に限定されない。図１〜図７に示した例では、導入部４ｂ１の形状と端板部４ａ１の形状は、双方とも矩形であり、ほぼ同じ大きさとされているが、本発明においてこれらの形状は他の形状でもよいし、導入部４ｂ１の形状と端板部４ａ１の形状及び大きさが同じである必要もない。
【００２４】
取り付け孔４ｂのスリット部４ｂ２の形状、及び、連結具４ａの中央部４ａ２の形状は、導入部４ｂ１内に配置されている連結具４ａの中央部４ａ２をスリット部４ｂ２内にスライドできる様にされており、且つ、スリット部４ｂ２内に配置された連結具４ａの中央部４ａ２が前後方向に大きく傾動しない限り、特に限定されない。このようなスリット部４ｂ２及び連結具４ａの中央部４ａ２は、連結具４ａの中央部４ａ２を厚さが一様な板状とし、スリット部４ｂ２の幅を前記中央部４ａ２の厚さとほぼ同じにすることにより、容易に作成することができる。
なお、連結具４ａの中央部４ａ２が少々傾動したとしても、後述する係合凹部４ｃと係合させる際に適正な位置に戻すことができる程度であれば、許容される。
【００２５】
本発明における連結具４ａは前後方向だけでなく左右方向にも傾動しないことが好ましいが、左右方向の傾動は、スリット部４ｂ２の近傍に、図７に示すような位置決め突起４ｄを設けることにより、好適に防止することができる。
位置決め突起４ｄの位置及び形状は、筐体２の側面板２ａより内側に導入された連結具４ａの端板部４ａ１を、当該位置決め突起４ｄと筐体の側面板２ａの間に遊嵌又は嵌着できる形状である他は特に限定されない。図７に示した例では、筐体２の後面板２ｂをスリット部４ｂ２よりも前側に設け、この後面板２ｂから後ろ向きに舌片を突出させて位置決め突起４ｄとしているが、これに限定されず、例えば後面板２ｂをスリット部４ｂ２よりも後側に設け、この後面板２ｂから前向きに位置決め突起４ｄを突出させてもよいし、側面板２ａの内側にカギ状の突起を設け、これを位置決め突起４ｄとしてもよい。
この位置決め突起４ｄにより、連結具４ａの一方の端板部４ａ１の位置が定められ、スリット部４ｂ２により連結具４ａの中央部４ａ２の位置が定められているので、筐体２の側面板２ａから突出する他方の端板部４ａ１の位置も安定し、これにより後述の係合凹部４ｃと係合しやすくなる。
【００２６】
本発明における係合凹部４ｃは、前述のように、また図２、図３の要部拡大図や図５に示されているように、取り付け孔４ｂが設けられた側面板とは反対側の側面板であって、この取り付け孔４ｂのスリット部４ｂ２の位置に相当する位置に切設されている。従って、取り付け孔４ｂのスリット部４ｂ２に、側面板から突出して取り付けられた連結具４ａと好適に係合し、これにより、図１に示されるように、左右に連接された収納ケース１の後端を好適に連結することができる。
【００２７】
本発明における係合凹部４ｃの形状は、前述の、側面板から突出して取り付けられた連結具４ａと係合できるかぎり特に限定されない。図３の要部拡大図に示した例では、最も単純な例として、筐体２の側面板２ａの後端を矩形状に切り欠いた凹部が係合凹部４ｃとされているが、例えば、係合した連結具４ａが不意に外れないようにするため、あるいはその他の目的で、様々な形状とすることができる。
【００２８】
上記説明した、図１〜図７に記載した収納ケース１においては、筐体２の一方の側面（左側面）に取り付け孔４ｂを設け、他方の側面（右側面）に係合凹部４ｃが設けられているので、図１に示すように、既設の収納ケース１の一方側（左側）には、新設の収納ケース１を好適に連結することができる。しかしながら、既設の収納ケース１の他方側（右側）に新設の収納ケース１を連結するのが困難である。
既設の収納ケース１の両側に新設の収納ケース１を連結できるようにするには、図８〜図１０に示すように、筐体２の両側面に取り付け孔４ｂ及び係合凹部４ｃを設ければよい。
【００２９】
但し、同じ形状の取り付け孔４ｂを筐体２の両側面の同じ高さに設けようとすれば、スリット部４ｂ２の位置と係合凹部４ｃの位置が干渉する（詳しくは、一方側（例えば左側）に新設の収納ケース１を連結するための取り付け孔４ｂのスリット部４ｂ２を設ける位置と、他方側（例えば右側）に新設の収納ケース１を連結するための係合凹部４ｃを設ける位置が同じになるが、同じ位置にスリット部４ｂ２と係合凹部４ｃを両方とも作成するのは不可能である）ので、結局、他方側（例えば右側）に連結するための後端連結構造４は、一方側（例えば左側）に連結するための後端連結構造４とは、形状か位置の少なくともいずれか一方を、互いに干渉しないように変更する必要がある。
図９に示した例では、取り付け孔４ｂの導入部４ｂ１の高さは左右で同じであるが、左側に新設の収納ケースを連結するための取り付け孔４ｂでは、図９（ａ）に示すように、スリット部４ｂ２が下向きに延設されるとともに、これに対応する係合凹部４ｃは、図９（ｂ）に示すように下方に切設されている。同様に、右側に新設の収納ケースを連結するための取り付け孔４ｂでは、図９（ｂ）に示すように、スリット部４ｂ２が上向きに延設されるとともに、これに対応する係合凹部４ｃは、図９（ａ）に示すように上方に切設されている。
【００３０】
但し、スリット部４ｂ２を導入部４ｂ１の上側に設けた場合には、スリット部４ｂ２にスライドさせた連結具４ａが導入部側に落ちることがあるため、このずり落ちを防ぐための構造を設けるほうが好ましい。そのための構造は特に限定されないが、例えば図１０に示すように、導入部４ｂ１とスリット部４ｂ２の間に、狭窄部４ｂ３を設ける構造を示すことができる。この場合、狭窄部４ｂ３は、連結具４ａの中央部４ａ２の厚みよりも若干狭くして、力を入れてスライドさせれば連結具４ａはこの狭窄部４ｂ３を通過できるが、連結具４ａの自重では狭窄部４ｂ３を通過できないようにするのが好ましい。
【００３１】
収納ケース１の両側に後端連結構造４を設ける場合の別例としては、図１１に示すように、二組の取り付け孔４ｂ及び係合凹部４ｃを、高さを変えて設ける方法が例示できる。このようにすれば、右側用と左側用で、取り付け孔４ｂの形状を変える必要がなくなる。
【００３２】
本発明では、収納ケース１の両側に後端連結構造４を設ける場合において、図１２に示すように、取り付け孔４ｂの導入部４ｂ１が係合凹部４ｃを兼ねる様に構成することも可能である。このようにすれば、後端連結構造４の形状がシンプルで製造しやすくなる。また、専用の係合凹部４ｃを設けない分だけ、導入部４ｂ１及びスリット部４ｂ２を大きくすることができ、従って、より大きな連結具４ａを使用できるようになるので、連結具４ａを大きくした分だけ連結強度を強くすることができる。
【００３３】
本発明においては、前端連結構造５を設けることにより、収納ケース１の後側だけでなく、前側でも連結できるので、新設の収納ケース１をさらに強固に既設の収納ケース１に連結することができる。
本発明において前端連結構造５の具体的な構成は特に限定されず、例えば特許文献１や特許文献２に記載されているようなものでも用いることができるが、切れ込み５ａ及び前止具５ｂからなる前端連結構造５であれば、連結強度が強く、コンパクトで、筐体２内に引き出し体６を配置する場合でも前止具５ｂが引き出し体６を引き出す邪魔にならない。
なお、本発明における切れ込み５ａは、例えば図２、図４、図１６、図１７に示すように、側面板の前端にＬ字状に切設された部分である。また、本発明において前止具５ｂとは、例えば図１３（ａ）〜（ｃ）に示すように、２枚の板状部材５ｂ１とこれらを繋ぐ棒状部材５ｂ２からなる部材である。
【００３４】
切れ込み５ａ及び前止具５ｂからなる前端連結構造５により、横方向に並べられた収納ケース１の前端を連結する方法は、まず、既設の収納ケース１と同じ高さに前端をそろえた状態で新設の収納ケース１を配置することにより、隣接する収納ケース１の切れ込み５ａを重ね合わせ、次に、図１４に実線矢印で示すように、切れ込み５ａの開口部５ａ１から前止具５ｂの棒状部材５ｂ２を挿入し、次に、図１４に破線矢印で示すように、折れ部５ａ２から最深部５ａ３に棒状部材５ｂ２を移動させて、前止具５ｂの位置を安定させる。このようにすれば、隣接する収納ケース１の前端が前止具５ｂの２枚の板状部材５ｂ１に挟着され、好適に連結される。また、板状部材５ｂ１は薄いので、筐体２内に引き出し体６を配置する場合でも、板状部材５ｂ１が筐体２と引き出し体６の間に介在できるようにすることが可能であり、この場合には、板状部材５ｂ１は引き出し体６を引き出す際の邪魔にならない。
【００３５】
本発明の前止具は、図１５に示すように、細長い板状部材５ｂ１を２本以上の棒状部材５ｂ２で繋いだものでもよい。２本以上の棒状部材５ｂ２を用いることにより、左右の収納ケース１を連結するだけでなく、図１６及び図１７に示すように、上下の収納ケース１も連結することができる。
【００３６】
なお、図１６は２本の棒状部材５ｂ２の間隔が、積み重ねられた収納ケース１における切れ込み５ａの設置周期Ｌ１と同じ（通常の場合、積み重ねられた収納ケースひとつ当たりの高さとも同じ）である前止具５ｂを用いて、収納ケース１の前端を接続する方法を示す説明図である。このような前止具５ｂを用いる場合、図１６に実線矢印で示すように、２本の棒状部材５ｂ２を、上下の切れ込み５ａの開口部５ａ１に同時に挿入し、そのまま棒状部材５ｂ２を最深部５ａ３に落とせばよい。
【００３７】
図１７は２本の棒状部材の間隔が、積み重ねられた上側の収納ケース１における最深部５ａ３から下側の収納ケースの開口部５ａ１までの長さＬ２と同じである前止具５ｂを用いて、収納ケース１の前端を接続する方法を示す説明図である。このような前止具５ｂを用いる場合、図１７に実線矢印で示すように、まず、一方の棒状部材５ｂ２を、上側の切れ込み５ａに挿入して最深部５ａ３まで導入し、次に、前止具５ｂから手を離せば、図１７に破線矢印で示すように、前止具５ｂは上側の棒状部材を中心に回動し、下側の棒状部材５ｂ２は自動的に下側の切れ込み５ａの開口部５ａ１に挿入され、これにより左右と同時に上下の収納ケースが接続される。
【００３８】
本発明において、収納ケース１の材質は、収納した書類等を保護するのに十分な強度及び剛性を備えている限り特に限定されず、例えば木材、金属、樹脂等を用いることができるが、軽量で加工性がよく、十分な強度を備えている点で、樹脂が好ましい。樹脂としては特に限定されないが、具体的には、ＡＢＳ樹脂、ＡＥＳ樹脂、ポリプロピレン等のポリオレフィン樹脂、ポリ塩化ビニル樹脂、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。
【産業上の利用可能性】
【００３９】
叙上のとおり、本発明の収納ケースによれば、左右方向に当該収納ケースを好適に接続することができ、且つ、収納ケースの後端を接続するための接続具を収納ケースの後方からでなく側方から取り付けるように構成されているので、既設の収納ケースの横に好適に新設の収納ケースを連結することができ、耐震性に優れた収納ケースを提供することができる。
【符号の説明】
【００４０】
１  収納ケース
２  筐体
２ａ  側面板
２ｂ  後面板
３  縦方向連結構造
３ａ  爪部
３ｂ  開口
４  後端連結構造
４ａ  連結具
４ａ１  端板部
４ａ２  中央部
４ｂ  取り付け孔
４ｂ１  導入部
４ｂ２  スリット部
４ｂ３  狭窄部
４ｃ  係合凹部
４ｄ  位置決め突起
５  前端連結構造
５ａ  切れ込み
５ａ１  開口部
５ａ２  折れ部
５ａ３  最深部
５ｂ  前止具
５ｂ１  板状部材
５ｂ２  棒状部材
６  引き出し体
７  天板
【図１】
2015145263.tif 000003
【図２】
2015145263.tif 000004
【図３】
2015145263.tif 000005
【図４】
2015145263.tif 000006
【図５】
2015145263.tif 000007
【図６】
2015145263.tif 000008
【図７】
2015145263.tif 000009
【図８】
2015145263.tif 000010
【図９】
2015145263.tif 000011
【図１０】
2015145263.tif 000012
【図１１】
2015145263.tif 000013
【図１２】
2015145263.tif 000014
【図１３】
2015145263.tif 000015
【図１４】
2015145263.tif 000016
【図１５】
2015145263.tif 000017
【図１６】
2015145263.tif 000018
【図１７】
2015145263.tif 000019